(57)【要約】      （修正有）【課題】移動中及び演奏中に管楽器の温度を一定に保ち、管楽器のチューニングを容易に行うことができる管楽器保温具を提供する。【解決手段】管楽器１００を所定の温度に保温しうる管楽器保温具であって、ヒーター部を有する保温具本体部１２と、ヒーター部に電源を供給しうる電源供給部１３とを備えている。【選択図】図４
0003198835.tif 000002
【実用新案登録請求の範囲】
【請求項１】
管楽器を所定の温度に保温しうる管楽器保温具であって、ヒーター部を有する保温具本体部と、前記ヒーター部に電源を供給しうる電源供給部とを備えたことを特徴とする管楽器保温具。
【請求項２】
前記保温具本体部は布状に形成され、前記保温具本体部を前記管楽器に巻装した場合には、前記保温具本体部を前記管楽器に着脱可能に固定しうる固定部が設けられていることを特徴とする請求項１記載の管楽器保温具。
【請求項３】
前記保温具本体部の表面部と裏面部とは、夫々、熱伝導率の異なる素材で構成されていることを特徴とする請求項２記載の管楽器保温具。
【請求項４】
前記電源供給部は、前記ヒーター部に接続される導線部と、前記導線部を介して前記ヒーター部に電源を供給しうるバッテリー部とを有し、前記バッテリー部には、掛止部が設けられていることを特徴とする請求項１記載の管楽器保温具。
【請求項５】
前記バッテリー部には、前記ヒーター部への通電状態を表示しうるパイロットランプが設けられていることを特徴とする請求項４記載の管楽器保温具。
【考案の詳細な説明】
【技術分野】
【０００１】
本考案は、管楽器を一定の温度に保つための管楽器保温具に関するものである。
【背景技術】
【０００２】
一般に、オーケストラ等、多数の演奏者が合奏する際には、楽器間でピッチ（音程）を合わせることが不可欠である。楽器のピッチは、楽器周囲の影響、特に温度に大きく左右される。
例えば、冬場においては、自宅から演奏会場までの移動時に楽器ケース内の温度が低下していくことから、演奏会場に到着した直後では、他の演奏者と楽器のピッチが異なっているという事態が生じていた。
このような状況において、弦楽器、例えば、バイオリンにおいては、糸巻きによって弦の張り方を変化させることで、容易かつ迅速に、また広い範囲でピッチを調整することができるため、大きな問題とはなっていなかった。
【０００３】
一方、管楽器、例えば、クラリネットにおいては、マウスピースと管体とを接続するバレルによって管の長さを変化させ、ピッチを調整することができるものの、その範囲が非常に狭いため、演奏者は手で楽器を握って温めたり、呼気を吹き込んで温めたりすることで、楽器と演奏会場の気温との温度差をなくすという作業が必要不可欠であった。
【０００４】
しかしながら、手で温める場合には、冷え切った管楽器を手を使って温めることそのものが苦痛であり、また楽器内部が温まるまで時間がかかるという不具合があった。また、呼気を吹き込んで温める場合には、管楽器の管体内で結露が生じ、それが水滴となって演奏に支障を来たしていた。また、その水滴を除去するために手間がかかるといった不具合を生じていた。
【０００５】
また、管楽器の一つであるクラリネットは、調の異なるＡ管及びＢ♭管の２種類を用意し、曲ごと、又は、楽章ごとに都度交換して演奏する場合がある。
この際、演奏していない一方のクラリネットは、演奏による呼気の吹き込みがない分だけ管体内の温度が低下し、ピッチが下がってしまうため、再度演奏する際にチューニングが困難であるという不具合があった。
このような不具合は、クラリネットに限られるものではなく、フルート−ピッコロ間、オーボエ−イングリッシュ・ホルン間のように、オーケストラにおいて一人の演奏者が複数の楽器を持ち替えて演奏するような場合においても生じるものである。
本件実用新案登録出願人はこのような観点から先行技術調査を行ったが、前記不具合を解消するような技術は発見できなかった。
【特許文献１】特開２０１１−５２０１４３号公報
【特許文献２】特開２０００−１２２６３７号公報
【考案の開示】
【考案が解決しようとする課題】
【０００６】
本考案は、以上のような従来からの不具合を解消するためのものであって、その課題は、移動中及び演奏中に管楽器の温度を一定に保ち、管楽器のチューニングを容易に行うことができると共に、管体内の水滴の発生を抑えることができる管楽器保温具を提供することにある。
【課題を解決するための手段】
【０００７】
前記課題を解決するために、請求項１に記載の考案にあっては、管楽器を所定の温度に保温しうる管楽器保温具であって、ヒーター部を有する保温具本体部と、前記ヒーター部に電源を供給しうる電源供給部とを備えたことを特徴とする。
【０００８】
従って、前記電源供給部から前記ヒーター部に電源が供給され、前記保温具本体部が所定の温度まで加熱される。
【０００９】
請求項２に記載の考案にあっては、前記保温具本体部は布状に形成され、前記保温具本体部を前記管楽器に巻装した場合には、前記保温具本体部を前記管楽器に着脱可能に固定しうる固定部が設けられていることを特徴とする。
【００１０】
従って、前記保温具本体部を広げることによって前記管楽器が被覆されると共に、前記保温具本体部を前記管楽器に巻装した場合には、前記保温具本体部は前記固定部により固定される。
【００１１】
請求項３に記載の考案にあっては、前記保温具本体部の表面部と裏面部とは、夫々、熱伝導率の異なる素材で構成されていることを特徴とする。
【００１２】
従って、前記保温具本体部の前記表面部と前記裏面部とは、夫々、異なる表面温度まで加熱される。
【００１３】
請求項４に記載の考案にあっては、前記電源供給部は、前記ヒーター部に接続される導線部と、前記導線部を介して前記ヒーター部に電源を供給しうるバッテリー部とを有し、前記バッテリー部には、掛止部が設けられていることを特徴とする。
【００１４】
従って、前記掛止部を譜面台等に掛け止めた場合には、前記バッテリー部が前記譜面台等に固定される。
【００１５】
請求項５に記載の考案にあっては、前記バッテリー部には、前記ヒーター部への通電状態を表示しうるパイロットランプが設けられていることを特徴とする。
【００１６】
従って、前記バッテリー部から前記ヒーター部に電源が供給された場合には、前記パイロットランプが発光する。
【考案の効果】
【００１７】
請求項１に記載の管楽器保温具にあっては、前記電源供給部から前記ヒーター部に電源が供給され、前記保温具本体部が所定の温度まで加熱されるので、前記保温具本体部を前記管楽器に接触させた場合には、前記管楽器を所定の温度に保温することができる。
従って、前記管楽器を演奏する際に、管楽器と演奏会場の気温との温度差を少なくすることができ、その結果、管楽器のチューニングを容易に行うことができる管楽器保温具を提供することができる。
【００１８】
請求項２に記載の管楽器保温具にあっては、前記保温具本体部を広げることによって前記管楽器が被覆されるので、前記管楽器を持って演奏会場まで移動する際に、前記保温具本体部を広げた状態で前記管楽器のケースに入れ、前記管楽器を保温することができる。
その結果、演奏会場に到着後、速やかに他の演奏者に加わって演奏することができる。
また、前記保温具本体部を前記管楽器に巻装した場合には、前記保温具本体部は前記固定部により固定されるので、前記保温具本体部を前記管楽器に巻きつけて使用することができる。
その結果、演奏していない前記管楽器をスタンドに立てて置いた場合においても、前記管楽器を温めることができる。
【００１９】
請求項３に記載の管楽器保温具にあっては、前記保温具本体部の前記表面部と前記裏面部とは、夫々、異なる表面温度まで加熱されるので、前記管楽器に前記保温具本体部の前記表面部を接触させるか、又は前記裏面部を接触させるかを選択することによって、前記管楽器の温まり方を調節することができる。
【００２０】
請求項４に記載の管楽器保温具にあっては、前記掛止部を譜面台等に掛け止めた場合には、前記バッテリー部が前記譜面台等に固定されるので、演奏していない前記管楽器をスタンドに立てて置いた場合に、前記バッテリー部を前記譜面台等に固定することができ、その結果、演奏に支障を来たすことなくコンパクトに使用することができる管楽器保温具を提供することができる。
【００２１】
請求項５に記載の管楽器保温具にあっては、前記バッテリー部から前記ヒーター部に電源が供給された場合には、前記パイロットランプが発光するので、前記管楽器保温具の通電状態を容易に視認することができる。
特に、演奏していない前記管楽器を保温するために前記管楽器保温具を使用する場合には、前記管楽器に触れることなく、演奏中も前記管楽器の保温状態を確認することができる。
【図面の簡単な説明】
【００２２】
【図１】図１は、本考案に係る管楽器保温具の一実施の形態において、管楽器のケースに入れて使用する状態を示す斜視図である。
【図２】図２は、本考案に係る管楽器保温具の一実施の形態において、管楽器に巻装して使用する状態を示す正面図である。
【図３】図３は、本考案に係る管楽器保温具の一実施の形態において、管楽器に巻装して使用する状態を示す背面図である。
【図４】図４は、本考案に係る管楽器保温具の一実施の形態において、演奏していない管楽器を保温する状態を示す斜視図である。
【考案を実施するための最良の形態】
【００２３】
以下、添付図面に示す実施の形態に基づき、本考案を詳細に説明する。
図１〜図４に示すように、本考案の一実施の形態に係る管楽器保温具１０は、管楽器１００を所定の温度に保温しうるように構成され、ヒーター部（図示せず）を有する保温具本体部１２と、ヒーター部（図示せず）に電源を供給しうる電源供給部１３とを備えている。
【００２４】
また、図１に示すように、本実施の形態に係る保温具本体部１２は布状に形成され、図３に示すように、保温具本体部１２を管楽器１００に巻装した場合には、保温具本体部１２を管楽器１００に着脱可能に固定しうる固定部１４が設けられている。
【００２５】
また、図１〜図４に示すように、本実施の形態に係る保温具本体部１２の表面部１５と裏面部（図示せず）とは、夫々、熱伝導率の異なる素材である牛革とフェルトとにより構成されている。
【００２６】
また、図４に示すように、本実施の形態に係る電源供給部１３は、ヒーター部（図示せず）に接続される導線部１７と、導線部１７を介してヒーター部（図示せず）に電源を供給しうるバッテリー部１８とを有し、バッテリー部１８には、掛止部１９が設けられている。
また、図４に示すように、本実施の形態に係るバッテリー部１８には、ヒーター部（図示せず）への通電状態を表示しうるパイロットランプ２０が設けられている。
【００２７】
本実施の形態に係る管楽器保温具１０の構成について、添付図面を用いてより詳細に説明する。
図１〜図４に示すように、本実施の形態に係る保温具本体部１２は、表面部１５から裏面部（図示せず）に向かって、牛革、熱反射シート、ヒーター部、フェルトが積層され、周縁部２１において縫着されて形成されている。
また、図３に示すように、本実施の形態に係る固定部１４は、円盤状のボタン２２と、ボタン２２に掛け回して固定しうる紐２３とにより構成されている。
【００２８】
また、本実施の形態に係るヒーター部（図示せず）は、２層に配設されたマイクロカーボンファイバーヒーターにより構成されている。本実施の形態に係るヒーター部は、約４０℃まで加熱されるように構成されている。
また、図４に示すように、本実施の形態に係るパイロットランプ２０は、ＬＥＤライトにより構成されている。
【００２９】
また、図４に示すように、本実施の形態に係るバッテリー部１８は、平面略長方形状に形成され、バッテリー部１８の上端部には紐を架設して形成された掛止部１９が設けられ、バッテリー部１８の下端部には導線部１７の一端部が接続されている。また、バッテリー部１８の表面部下部にはパイロットランプ２０と、ヒーター部を制御しうるスイッチ２４が設けられている。
また、本実施の形態に係るバッテリー部１８は、７．４Ｖのリチウムイオン充電池で構成され、充電容量は２０５０ｍＡｈである。本実施の形態に係るヒーター部を加熱する場合にあっては、満充電の状態から約３時間の連続使用が可能である。
【００３０】
以下、本実施の形態に係る管楽器保温具１０の作用について、添付図面を用いて説明する。
図１に示すように、本実施の形態に係る管楽器保温具１０の第一の使用態様としては、ケース１０１内において、管楽器１００を保温することができる。即ち、管楽器１００が分解された状態で収納されているケース１０１に保温具本体部１２を広げ、管楽器１００を被覆するように配置する。続いて、図４に示すように、スイッチ２４を入れることによって、電源供給部１３を構成するバッテリー部１８からヒーター部に電源が供給され、保温具本体部１２が所定の温度まで加熱される。
この際、管楽器１００が保温具本体部１２によって被覆されているので、管楽器１００を所定の温度に保温することができる。本実施の形態においては、ヒーター部が約４０℃まで加熱されるため、熱伝導の結果、管楽器１００は約３０℃に保温される。
その結果、管楽器１００を演奏する際に、管楽器１００と演奏会場の気温との温度差を少なくすることができ、その結果、管楽器１００のチューニングを容易に行うことができる管楽器保温具を提供することができる。
特に、本実施の形態においては、管楽器１００は約３０℃に保温されるため、管楽器１００を傷めるといった事態を防止することができる。
【００３１】
特に、本実施の形態に係る管楽器保温具１０にあっては、ケース１０１に入れた状態で、保温具本体部１２によって管楽器１００を保温することができるので、管楽器１００をケース１０１に入れて演奏会場まで移動する場合には、演奏会場に到着後、速やかに他の演奏者に加わって演奏することができる。
またさらに、本実施の形態に係る管楽器保温具１０にあっては、バッテリー部１８や導線部１７を含む電源供給部１３も併せてケース１０１に収納することができるので、コンパクトであるだけでなく、ケース１０１を密閉することができ、その結果、管楽器１００が十分に保温された状態で運ぶことができる。
【００３２】
また、図１〜図４に示すように、本実施の形態に係る管楽器保温具１０にあっては、保温具本体部１２の表面部１５と裏面部（図示せず）とは、夫々、熱伝導率の異なる牛革とフェルトとにより構成されているので、異なる表面温度まで加熱される。
その結果、管楽器１００に保温具本体部１２の表面部１５を接触させるか、又は裏面部（図示せず）を接触させるかを選択することによって、管楽器１００の温まり方を調節することができる。
【００３３】
さらに、本実施の形態に係る保温具本体部１２は、表面部１５から裏面部に向かって、牛革、熱反射シート、ヒーター部、フェルトが積層されているので、ヒーター部から発生した熱は、熱反射シートによって反射される。
従って、フェルトを有する裏面部（図示せず）はより高温に、牛革を有する表面部１５はより低温に調節することができる。本実施の形態においては、表面部と裏面部との温度差は約３℃である。
その結果、保温具本体部１２の表面部１５を接触させた場合と、裏面部（図示せず）を接触させた場合とにおいて、管楽器１００の温まり方をより顕著に変化させることができる。
【００３４】
また、図２〜図４に示すように、本実施の形態に係る管楽器保温具１０の第二の使用態様としては、管楽器１００をスタンド１０２に立てて置いた状態で保温することができる。即ち、演奏していない管楽器１００をスタンド１０２に立てて置いた場合には、保温具本体部１２を管楽器１００に巻装し、固定部１４を構成するボタン２２に紐２３を掛け回して固定する。続いて、図４に示すように、スイッチ２４を入れることによって、電源供給部１３を構成するバッテリー部１８からヒーター部に電源が供給され、保温具本体部１２が所定の温度まで加熱される。
この際、管楽器１００が保温具本体部１２によって巻装されているので、スタンドに立てて置いた管楽器１００を所定の温度に保温することができる。
その結果、例えば、クラリネットのように、調の異なるＡ管及びＢ♭管の２種類を用意し、曲ごと、又は、楽章ごとに都度交換して演奏する場合において、演奏していない一方のクラリネットを保温することができ、その結果、再度演奏する際にチューニングを容易に行うことができる。
【００３５】
またこの際、前記同様に、本実施の形態に係る管楽器保温具１０にあっては、管楽器１００に保温具本体部１２の表面部１５を接触させるか、又は裏面部（図示せず）を接触させるかを選択することによって、管楽器１００の温まり方を調節することができる。
【００３６】
また、図３に示すように、本実施の形態に係る固定部１４は、ボタン２２と、紐２３とにより構成されているので、様々な太さの管径を有する管楽器１００に対しても、保温具本体部１２を確実かつ容易に固定することができる。またさらに、ボタン２２に紐２３を掛け回して固定するように構成されているので、着脱の際に音がせず、素早く脱着できる。その結果、演奏中においても、他の演奏を妨げるような事態を防止することができる。
【００３７】
また、図４に示すように、本実施の形態に係る管楽器保温具１０にあっては、掛止部１９を譜面台１０３に掛け止めた場合には、バッテリー部１８が譜面台１０３に固定されるので、演奏していない管楽器１００をスタンド１０２に立てて置いた場合に、演奏に支障を来たすことなくコンパクトに使用することができる管楽器保温具１０を提供することができる。
【００３８】
また、図４に示すように、本実施の形態に係る管楽器保温具１０にあっては、
バッテリー部１８からヒーター部（図示せず）に電源が供給された場合には、パイロットランプ２０が発光するので、管楽器保温具１０の通電状態を容易に視認することができる。
特に、図４に示すように、演奏していない管楽器１００を保温するために管楽器保温具１０を使用する場合には、演奏していない管楽器１００に触れることなく、演奏中も管楽器１００の保温状態を確認することができる。
【００３９】
本実施の形態に係る保温具本体部１２は布状に形成され、保温具本体部１２を管楽器１００に巻装した場合に、保温具本体部１２を管楽器１００に着脱可能に固定しうる固定部１４が設けられ、固定部１４がボタン２２と紐とにより構成されている場合を例に説明したが、前記構成に限定されるものではない。
特に、固定部１４は面ファスナー等の種々の固定手段で構成することが可能である。
【００４０】
また、本実施の形態に係る保温具本体部１２の表面部１５と裏面部（図示せず）とは、夫々、熱伝導率の異なる素材である牛革とフェルトとにより構成されている場合を例に説明したが、前記構成に限定されるものではない。
【産業上の利用可能性】
【００４１】
本考案は、管楽器保温具に広く適用可能であり、産業上利用可能性を有している。
【符号の説明】
【００４２】
１０：管楽器保温具
１２：保温具本体部
１３：電源供給部
１４：固定部
１５：表面部
１７：導線部
１８：バッテリー部
１９：掛止部
２０：パイロットランプ
２１：周縁部
２２：ボタン
２３：紐
２４：スイッチ
１００：管楽器
１０１：ケース
１０２：スタンド
１０３：譜面台
【図１】
0003198835.tif 000003
【図２】
0003198835.tif 000004
【図３】
0003198835.tif 000005
【図４】
0003198835.tif 000006